(57)【特許請求の範囲】
【請求項１】
ガスタービンの圧縮機入口側に流体供給管を介して高温高圧の流体を導いて、前記圧縮機の氷結を防止するガスタービンの圧縮機の氷結防止方法であって、
前記流体供給管の上流側から順に設けられる遮断弁、流量調節弁を閉じた状態で、前記遮断弁と前記流量調節弁との間において前記流体供給管に接続されるドレンラインに設けられるドレン弁を開いてドレンを排出するドレン排出ステップと、
前記遮断弁を閉状態から開状態に切り替えて前記流体を前記流体供給管内に導いて、前記流体供給管のうち前記流量調節弁の上流側の部位を均圧する均圧ステップと、
前記遮断弁を閉状態から開状態に切り替える時点から均圧終了時点までの間に前記ドレン弁を開いて、前記遮断弁及び前記ドレン弁を介した前記流体の流れを形成して前記流体供給管をウォーミングするウォーミングステップと、
前記流体供給管の前記部位の均圧終了後に、前記ドレン弁が閉じた状態で前記流量調節弁を開いて前記圧縮機入口へ前記流体を供給する流体供給ステップとを備えることを特徴とするガスタービンの氷結防止方法。
【請求項２】
前記ドレン排出ステップにて前記ドレン弁を開いた状態を維持して、前記遮断弁を閉状態から開状態に切り替えて前記ウォーミングステップを開始することを特徴とする請求項１に記載のガスタービンの氷結防止方法。
【請求項３】
前記遮断弁が、第１遮断弁と、該第１遮断弁より最大開度における流量が大きい第２遮断弁とを含み、
前記均圧ステップでは、前記第２遮断弁の閉状態で第１遮断弁を開いて、前記第１遮断弁を介して前記流体を前記流体供給管内に導き、
前記流体供給ステップでは、前記第２遮断弁を開いて、少なくとも前記第２遮断弁を介して前記流体を前記流量調節弁に供給することを特徴とする請求項１又は２に記載のガスタービンの氷結防止方法。
【請求項４】
前記流体は、前記圧縮機から抽気された圧縮空気であることを特徴とする請求項１乃至３のいずれか一項に記載のガスタービンの氷結防止方法。
【請求項５】
ガスタービンの圧縮機入口側に流体供給管を介して高温高圧の流体を導いて、前記圧縮機の氷結を防止するガスタービンの圧縮機の氷結防止システムであって、
前記流体供給管の上流側から順に設けられる遮断弁及び流量調節弁と、
前記遮断弁と前記流量調節弁との間において前記流体供給管に接続されるドレンラインと、
前記ドレンラインに設けられるドレン弁と、
前記遮断弁、前記流量調節弁及び前記ドレン弁を制御するためのコントローラと、を備え、
前記コントローラは、
前記遮断弁及び前記流量調節弁を閉じた状態で前記ドレン弁を開いてドレンを排出し、
前記遮断弁を閉状態から開状態に切り替えて前記流体を前記流体供給管内に導いて、前記流体供給管のうち前記流量調節弁の上流側の部位を均圧にし、
前記遮断弁を閉状態から開状態に切り替える時点から均圧終了時点までの間に前記ドレン弁を開いて、前記遮断弁及び前記ドレン弁を介した前記流体の流れを形成して前記流体供給管をウォーミングし、
前記流体供給管の前記部位の均圧終了後に、前記ドレン弁が閉じた状態で前記流量調節弁を開いて前記圧縮機入口へ前記流体を供給する
ように構成されたことを特徴とするガスタービンの氷結防止システム。
【請求項６】
圧縮機と、
前記圧縮機からの圧縮空気を用いて燃料を燃焼させて燃焼ガスを生成するように構成された燃焼器と、
前記燃焼器からの前記燃焼ガスにより駆動されるタービンと、
前記圧縮機入口側に前記圧縮空気を導くことで前記圧縮機の氷結を防止するように構成された請求項５に記載の氷結防止システムと、
を備えることを特徴とするガスタービン設備。
【発明の詳細な説明】
【技術分野】
【０００１】
本発明は、ガスタービンの圧縮機入口側が氷結することを防止するガスタービンの氷結防止方法に関する。
【背景技術】
【０００２】
一般に、ガスタービンの圧縮機では、高圧の燃焼用空気を生成するために大気が用いられることが多いが、圧縮機に吸入される大気温度が低いと圧縮機の入口側が氷結することがある。特に、圧縮機の入口案内翼の角度を調節して吸入空気流量を絞る際、空気流速が増加することにより空気温度が低下し、このとき大気温度が低いと空気中の水分がより氷結し易くなってしまう。
【０００３】
圧縮機の入口側が氷結すると、圧縮機の吸気フィルタや入口案内翼等に付着して成長した氷のために圧縮機の吸気量が少なくなり、ガスタービン出力の低下を招くおそれがある。また、圧縮機入口側で生成した氷結結晶が飛散して圧縮機の動静翼に衝突し、圧縮機が損傷してしまう可能性もある。
【０００４】
そのため、従来から、圧縮機の入口側の氷結を防止する氷結防止装置が用いられている。こういった装置として、圧縮機から抽気した高温高圧空気を用いて圧縮機の入口側を加温する氷結防止装置が知られている。
例えば、特許文献１には、圧縮機から抽気された空気を圧縮機の吸気フィルタに噴射することによって吸気フィルタの凍結を防止する凍結防止装置が記載されている。この装置では、圧縮機から抽気された高温高圧空気は抽気管を介して圧縮機の入口側に導かれ、抽気管に設けられた抽気調節用弁で流量調節されて吸気フィルタに噴射されるようになっている。
【先行技術文献】
【特許文献】
【０００５】
【特許文献１】特開平６−３３７９５号公報
【発明の概要】
【発明が解決しようとする課題】
【０００６】
しかしながら、特許文献１には氷結防止を目的とした具体的な制御内容は記載されておらず、実際の運用に際しては、例えば以下のような問題が発生することが考えられる。
一つは、高温高圧空気の圧縮機入口側への供給開始直後に、圧縮機からの抽気量の調節を適切に行うことが難しいことがある。特許文献１に記載されるように、圧縮機入口側の加温を目的として高温高圧空気を供給する場合、圧縮機入口側が所望の温度となるように抽気調節用弁の開度制御を行うことが考えられる。ところが、空気供給開始直後は抽気管の圧力が十分に上昇していないので、抽気調節用弁を開いても高温高圧空気の圧縮機入口側への供給量は不足しがちであり、抽気調節用弁の開度を急激に大きくすることになる。その結果、空気供給開始直後、圧縮機からの抽気量（圧縮機入口側への高温高圧空気の供給量）は大きく変動し、抽気調節用弁の開度制御を安定して行うことが難しい。
【０００７】
もう一つの問題点として、抽気管内のドレンの問題が挙げられる。氷結防止装置を繰り返し使用する場合、高温高圧空気の供給開始前に抽気管内にドレンが溜まっている可能性がある。そのため、抽気開始時に管内に高温高圧空気が流入するとフラッシュが発生するおそれがある。
【０００８】
本発明の少なくとも一つの実施形態は、上述の事情に鑑みて、氷結防止を目的とした制御を適切に実施し得るガスタービンの氷結防止方法を提供することを目的とする。
【課題を解決するための手段】
【０００９】
本発明の少なくとも一実施形態に係るガスタービンの氷結防止方法は、ガスタービンの圧縮機入口側に流体供給管を介して高温高圧の流体を導いて、前記圧縮機の氷結を防止するガスタービンの圧縮機の氷結防止方法であって、前記流体供給管の上流側から順に設けられる遮断弁、流量調節弁を閉じた状態で、前記遮断弁と前記流量調節弁との間において前記流体供給管に接続されるドレンラインに設けられるドレン弁を開いてドレンを排出するドレン排出ステップと、前記遮断弁を閉状態から開状態に切り替えて前記流体を前記流体供給管内に導いて、前記流体供給管のうち前記流量調節弁の上流側の部位を均圧する均圧ステップと、前記遮断弁を閉状態から開状態に切り替える時点から均圧終了時点までの間に前記ドレン弁を開いて、前記遮断弁及び前記ドレン弁を介した前記流体の流れを形成して前記流体供給管をウォーミングするウォーミングステップと、前記流体供給管の前記部位の均圧終了後に、前記ドレン弁が閉じた状態で前記流量調節弁を開いて前記圧縮機入口へ前記流体を供給する流体供給ステップとを備える。
【００１０】
上記氷結防止方法によれば、ガスタービンの圧縮機の氷結防止を適切に実施することが可能となる。
例えば、氷結防止動作の開始時にまずドレン弁を開くようにしたので、高温高圧流体が導入される前に流体供給管内に溜まっているドレンを排出でき、流体供給管内でのフラッシュの発生を防止できる。
また、均圧化ステップにて、予め流体供給管内における流量調節弁の上流側の部位の圧力を上昇させておくことで、氷結防止を目的とした流体供給ステップの開始直後における流量調節弁の開度制御を安定して行うことができる。
また、ウォーミングステップで、流体供給ステップの前に流体供給管を予め温めておくようにしたので、流体供給ステップにて流体を供給する際にドレンが発生することを抑制できる。さらにこのとき、遮断弁を閉状態から開状態に切り替える時点から均圧終了時点までの間にドレン弁を開くようにしたので、ドレンラインから排出される流体は、流体供給管への導入前の高温高圧の流体よりも低圧であり、排出流体が周囲に与える影響を小さくできる。
【００１１】
一実施形態において、ガスタービンの氷結防止方法は、前記ドレン排出ステップにて前記ドレン弁を開いた状態を維持したまま、前記遮断弁を閉状態から開状態に切り替えて前記ウォーミングステップを開始してもよい。
上記ガスタービンの氷結方法では、ドレン排出ステップの後、ドレン弁を開いた状態を維持したまま遮断弁を開くことによって、流体供給管内の圧力が上昇する前にウォーミングステップを行うようにしている。したがって、ウォーミングステップでドレンラインから排出される流体の圧力をより低い圧力として、排出流体が周囲に与える影響をより一層小さくできる。
【００１２】
一実施形態において、ガスタービンの氷結防止方法は、前記遮断弁が、第１遮断弁と、該第１遮断弁より最大開度における流量が大きい第２遮断弁とを含み、前記ウォーミングステップでは、前記第２遮断弁が閉じており前記第１遮断弁が開いた状態で前記ドレン弁を開いて前記第１遮断弁及び前記ドレン弁を介した前記流体の流れを形成し、前記流体供給ステップでは、前記第２遮断弁を開いて、少なくとも前記第２遮断弁を介して前記流体を前記流量調節弁側に供給してもよい。
上記ガスタービンに氷結方法によれば、ウォーミングステップでは最大開度における流量が比較的小さい第１遮断弁とドレン弁とを介した流体の流れを形成してウォーミングを行うようにしたので、ドレンラインからの排出流体の流量が少なくなり、排出流体が周囲に与える影響をより一層小さくできる。一方、氷結防止を目的とした流体供給ステップでは最大開度における流量が比較的大きい第２遮断弁を介して流体を流量調節弁側に供給するようにしたので、より多くの流体を氷結防止のために利用できるようになる。
【００１３】
少なくとも一実施形態において、ガスタービンの氷結防止方法で、前記流体は、前記圧縮機から抽気された圧縮空気であってもよい。
【発明の効果】
【００１４】
本発明の少なくとも一実施形態によれば、氷結防止を目的とした各弁の制御を適切に実施することが可能となる。
【図面の簡単な説明】
【００１５】
【図１】第１実施形態に係るガスタービンの氷結防止システムを示す構成図である。
【図２】第１実施形態における各弁の動作を示すタイムチャートである。
【図３】変形例における各弁の動作を示すタイムチャートである。
【図４】第２実施形態に係るガスタービンの氷結防止システムを示す構成図である。
【図５】第２実施形態における各弁の動作を示すタイムチャートである。
【発明を実施するための形態】
【００１６】
以下、添付図面に従って本発明の実施形態について説明する。ただし、この実施形態に記載されている構成部品の寸法、材質、形状、その相対的配置等は、特定的な記載がない限り本発明の範囲をこれに限定する趣旨ではなく、単なる説明例にすぎない。
【００１７】
［第１実施形態］
図１はガスタービンの氷結防止システムを示す構成図である。
同図に示すように、ガスタービン１は、吸気した空気を圧縮する空気圧縮機２と、該圧縮機２が圧縮した空気（流体）と燃料供給系統から供給された燃料との混合気を燃焼させて燃焼ガスを生成する燃焼器４と、燃焼器４から生成された燃焼ガスによって駆動されるタービン３とを有している。
【００１８】
圧縮機２には、その入口側に設けられている吸気ダクト６を介して吸気室８から空気が導かれる。吸気室８には吸気フィルタ７が設けられており、吸気室８に取り込まれた空気中に含まれる塵埃が吸気フィルタ７によって除去される。吸気フィルタ７を通過した空気は、吸気ダクト６の内部を通過して圧縮機２へと導かれる。圧縮機２に導かれた空気は、圧縮機２によって圧縮される。圧縮機２の入口には、圧縮機２に導かれる空気の流量を制御する入口案内翼が設けられている。タービン３は、燃焼器４から燃焼ガスが導かれることによって駆動される。タービン３には、圧縮機２と共通の回転軸５が設けられている。タービン３が燃焼ガスによって駆動されて回転軸５が回転すると、圧縮機２が駆動されて圧縮機２において空気が圧縮される。
【００１９】
燃焼器４では、圧縮機２によって圧縮された空気（以下「圧縮空気」という。）が導かれて燃料が燃焼される。燃焼器は、燃料と圧縮空気との混合気を燃焼させることによって燃焼ガスを生成する。
【００２０】
氷結防止システム１０は、外気温が低い寒冷期や、圧縮機２に設けられている入口案内翼の開度を絞って圧縮機２入口の空気流入速度が高まった場合に、圧縮機２の出口から抽気された高温の圧縮空気を圧縮機２の入口側に導くことにより、圧縮機２の入口温度を上昇させて圧縮機２の氷結を防止する。
【００２１】
氷結防止システム１０は、圧縮機２の出口側と吸気室８との間に設けられる空気供給管１２と、空気供給管１２の上流側から順に設けられる遮断弁セット２０、流量調節弁２６と、空気供給管１２内のドレンを排出するためのドレンライン３０及びドレン弁３２とを備えている。また、上記の各弁を制御するコントローラ３５をさらに備えていてもよい。
【００２２】
空気供給管１２は、圧縮機２の出口側の下流において第１管路１４と第２管路１６とに分岐しており、これら第１管路１４及び第２管路１６が再び合流して、吸気ダクト６の入口側まで延びている。遮断弁セット２０は、第１管路１４に設けられる第１遮断弁（均圧弁）２４と、第２管路１６に設けられる第２遮断弁（空気供給弁）２２を含んでいる。空気供給弁２２は、均圧弁２４に比べて、最大開度における流量（最大流量）が大きい。
【００２３】
第１管路１４と第２管路１６との合流部の下流側では、ドレンライン３０が空気供給管１２に接続されており、このドレンライン３０にはドレン弁３２が設けられている。また、空気供給管１２とドレンライン３０との接続部の下流側では、空気供給管１２に流量調節弁２６が設けられている。流量調節弁２６の下流側において、空気供給管１２は吸気室８内まで延びており、流量調節弁２６で流量調節された圧縮空気が空気供給管１２から吸気室８内に噴射される。これにより、圧縮機２の入口に導かれる吸気を加熱してもよい。
なお、他の実施形態では、吸気室８内に設置された熱交換器において、空気供給管１２を介して熱交換器に供給される圧縮空気との熱交換により圧縮機２の入口に導かれる吸気を加熱してもよい。この場合、熱交換器を通過した圧縮空気は圧縮機２に戻してもよい。
【００２４】
ドレンライン３０は、第１管路１４と第２管路１６との合流部よりも流量調節弁２６寄りに設けられている。そのため、空気供給管１２は、第１管路１４と第２管路１６との合流部と、空気供給管１２へのドレンライン３０の接続部との間の部位が占める割合が大きい。そのため、後述するウォーミングステップは、主として、第１管路１４と第２管路１６との合流部と、空気供給管１２へのドレンライン３０の接続部との間の長い管路を昇温するために行われる。
【００２５】
上述した各弁２２，２４，２６，３２は、いずれもコントローラ３５によって開閉制御される。このうち、空気供給弁２２、均圧弁２４及びドレン弁３２は、少なくとも一実施形態において、コントローラ３５によりＯＮ／ＯＦＦ制御される。一方、流量調節弁２６は、コントローラ３５により開状態と閉状態との間で開度制御されてもよい。
【００２６】
上記構成の氷結防止システム１０を用いて圧縮機２の氷結防止を行う際のコントローラ３５による具体的な制御の流れを以下に説明する。ここで、図２は第１実施形態における各弁の動作を示すタイムチャートである。
氷結防止動作の開始前には、空気供給弁２２及び均圧弁２４、流量調節弁２６、ドレン弁３２が全て閉じた状態となっている。
コントローラ３５により各種入力信号に基づいて氷結防止動作の開始条件を満たしていると判断したら、氷結防止システム１０を作動させて圧縮機２の氷結防止操作を開始する。少なくとも一実施形態において、圧縮機２の入口側（吸気室８）への高温高圧空気の供給を開始する前に、次のような準備動作を行う。
【００２７】
準備動作として、まずはドレン排出ステップを行う。ドレン排出ステップでは、ドレン弁３２を開いて、遮断弁セット２０と流量調節弁２６との間における空気供給管１２に溜まっているドレンをドレンライン３０から排出する。このように、高温高圧空気が空気供給管１２に流入する前にドレンを排出することにより、空気供給管１２内でのフラッシュの発生を防止できる。
【００２８】
そして、均圧化ステップを行う。均圧化ステップでは、均圧弁２４を閉状態から開状態に切り替えて、圧縮機２の出口側から高温高圧の圧縮空気を均圧弁２４を介して空気供給管１２内を流通させる。これにより、流量調節弁２６は未だ閉じた状態であるから、空気供給管１２のうち流量調節弁２６より上流側の部位に圧縮空気が行きわたり、該部位が均圧化される。なお、均圧化とは、流量調節弁２６の上流側における空気供給管１２内の圧力を均一化する動作のことである。
なお、均圧化終了の判断については、空気供給管１２のうち均圧弁２４の下流側の管路の圧力を検出し、検出された圧力が予め設定された圧力以上となったら均圧化終了と判断してもよいし、予め設定された時間が経過したら均圧化終了と判断してもよい。
【００２９】
均圧弁２４は、最大開度における流量が比較的少ないため、均圧化ステップが完了するまでにある程度の時間を要する。
この均圧化ステップの完了前に空気供給管１２のウォーミングステップを行う。すなわち、均圧化ステップにおいて均圧弁２４を閉状態から開状態に切り替える時点から均圧終了時点までの間に、均圧弁２４が開いた状態でドレン弁３２を開く。ウォーミングステップでは、均圧弁２４及びドレン弁３２の両方が開かれるため、圧縮機２の出口側からの圧縮空気は第１管路１４を含む空気供給管１２を流れた後、ドレンライン３０から排出される圧縮空気の流れが形成される。こうして、冷たい外気に曝されて低温になっていた空気供給管１２は、圧縮機２の出口側から供給される高温の圧縮空気によって加熱され、温度上昇する。
一方、低温の空気供給管１２に導入された圧縮空気は、空気供給管１２に熱を奪われて温度降下する際、ドレンを生じることがある。このようにウォーミングステップ中に生じたドレンは、ドレン弁３２を介してドレンライン３０から排出される。
【００３０】
空気供給管１２が所定温度まで暖まってウォーミングが終了したらドレン弁３２を閉じる。なお、ウォーミング終了の判断については、空気供給管１２のうちウォーミング中に空気流れが形成された部分の温度を検出し、検出された温度が予め設定された温度以上となったらウォーミング終了と判断してもよいし、予め設定された時間が経過したらウォーミング終了と判断してもよい。
なお、幾つかの実施形態では、ウォーミングステップは、図２に示すように、均圧化ステップ終了前に完了される。これにより、ドレンライン３０から排出される圧縮空気の圧力は比較的低いから、排出空気が周囲に与える影響を小さくできる。
【００３１】
一実施形態では、図２に示すように、上記ドレン排出ステップの終了後、ドレン弁３２を開いたままにしておき、上記均圧化ステップの初期の段階で、ウォーミングステップも併せて行う。すなわち、ドレン排出時にドレン弁３２を開いた状態をそのまま維持しながら均圧弁２４を開いてもよい。これにより、空気供給管１２内の圧力が上昇する前にウォーミングステップを行うことになるので、ドレンライン３０から排出される空気の圧力をより低い圧力として、排出空気が周囲に与える影響をより一層小さくできる。
【００３２】
上記ウォーミングステップ及び上記均圧化ステップの終了後、圧縮機２の入口側（吸気室８）に高温高圧空気を供給する空気供給ステップを行う。すなわち、均圧弁２４を閉じて、空気供給弁２２を開くとともに、流量調節３２を開く側に制御する。これにより、圧縮機２の出口側から抽気した高温高圧空気が圧縮機２入口側の吸気室８に供給される。
【００３３】
本実施形態によれば、ガスタービン１の圧縮機２の氷結防止を適切に実施することが可能となる。
すなわち、均圧化ステップでは、予め空気供給管１２内における流量調節弁２６の上流側の部位の圧力を上昇させておくことで、氷結防止を目的とした空気供給ステップの開始直後における流量調節弁２６の開度制御を安定して行うことができる。
また、ウォーミングステップでは、空気供給ステップの前に空気供給管１２を予め温めておくようにしたので、空気供給ステップにて流体を供給する際にドレンが発生することを抑制できる。さらにこのとき、均圧弁２４を閉状態から開状態に切り替える時点から均圧終了時点までの間にドレン弁３２を開くようにしたので、ドレンライン３０から排出される空気は、空気供給管１２へ導入前の高温高圧空気よりも低圧にして、排出空気が周囲に与える影響を小さくできる。
【００３４】
また、ウォーミングステップでは、最大開度における流量が比較的小さい均圧弁２４とドレン弁３２とを介した空気の流れを形成してウォーミングを行うようにしたので、ドレンライン３０からの排出空気の流量が少なくなり、排出空気が周囲に与える影響をより一層小さくできる。一方、氷結防止を目的とした空気供給ステップでは、最大開度における流量が比較的大きい空気供給弁２２を介して空気を流量調節弁２６側に供給するようにしたので、より多くの流体を氷結防止のために利用できるようになる。
【００３５】
また、上述の実施形態の変形例として、図３に示すように、均圧化ステップから空気供給ステップにかけて、均圧弁２４を開いた状態に維持してもよい。
【００３６】
［第２実施形態］
次に第２実施形態に係る氷結防止の構成について説明する。本実施形態の氷結防止システムは、遮断弁の構成を変更したことを除けば、既に説明した第１実施形態と同様の構成である。したがって、ここでは、第１実施形態と共通する部材には同一の符号を付してその説明を省略し、第１実施形態と異なる部分を中心に説明する。
図４は第２実施形態に係るガスタービンの氷結防止システムを示す構成図で、図５は第２実施形態における各弁の動作を示すタイムチャートである。
【００３７】
本実施形態では、第１実施形態における遮断弁セット２０に替えて、一つの遮断弁２８が設けられている。
遮断弁２８は、空気供給管１２のうち、空気供給管１２とドレンライン３０との接続部よりも上流側に設けられており、圧縮機２から抽気された圧縮空気の流れを遮断する。遮断弁２８は、少なくとも一実施形態において、コントローラ３５によってＯＮ／ＯＦＦ制御される。
【００３８】
本実施形態に係る氷結防止方法では、図５に示すように、ドレン弁排出ステップにて、ドレン弁３２を開いてドレンライン３０からドレンを排出した後、均圧化ステップにて、遮断弁２８を開いて流量調節弁２６よりも上流側の空気供給管１２を昇圧し、均圧化する。ウォーミングステップは、遮断弁２８を閉状態から開状態に切り替える時点から均圧終了時点までの間に、ドレン弁３２を開いて、管路１６のウォーミングを行う。なお、ウォーミングステップでは、ドレン排出ステップにてドレン弁３２が開かれた状態を維持して遮断弁２８を開くことにより、空気供給管１２の圧力が上昇する前にウォーミングステップを行うことができ、ドレンライン３０から排出される空気の圧力をより低い圧力として、排出空気が周囲に与える影響をより一層小さくできる。ウォーミングステップが終了したらドレン弁３２を閉じる。
【００３９】
均圧化ステップが終了したら、空気供給ステップを開始する。空気供給ステップでは、遮断弁２８を開いた状態に維持して流量調節弁２６を開く。これにより、圧縮機２から抽気された高温高圧空気が、遮断弁２８、流量調節弁２６を介して圧縮機２の吸気室８に供給される。なお、上述したように空気供給路１２への高温高圧空気の流入を遮断可能な遮断弁２８を一つだけしか設けない場合には、空気供給ステップの方が均圧化ステップ及びウォーミングステップより遮断弁２８の空気吐出流量が多くなるように、開状態と閉状態との間でコントローラ３５による開度制御が可能な制御弁を遮断弁２８としてを用いるようにしてもよい。
【００４０】
以上、本発明の実施形態について詳細に説明したが、本発明はこれに限定されず、本発明の要旨を逸脱しない範囲において、各種の改良や変形を行ってもよいのはいうまでもない。
例えば、上述の実施形態では、圧縮機２の入口側に供給する高温高圧流体として圧縮機２から抽気した高温の圧縮空気を用いる例について説明したが、本発明は、ガスタービン１の外部から供給される高温高圧流体を用いてもよい。例えば、コンバインドサイクル発電装置の場合、蒸気タービンから抽気又は排気した蒸気を高温高圧流体として用いることもできる。
また、上述の実施形態では、空気供給管１２からの高温高圧流体を吸気室８又は吸気室８に設置した熱交換器に供給する例について説明したが、高温高圧流体は圧縮機２の入口側に供給される限り、具体的な供給位置については特に限定されない。例えば、空気供給管１２からの高温高圧流体は、吸気フィルタ７に直接噴射されてもよいし、吸気ダクト６に導入されてもよい。
【符号の説明】
【００４１】
１        ガスタービン
２        空気圧縮機
３        タービン
４        燃焼器
５        回転軸
６        吸気ダクト
７        吸気フィルタ
８        吸気室
１０      氷結防止システム
１２      空気供給管
１４      第１管路
１６      第２管路
２０      遮断弁セット
２２      空気供給弁（第２遮断弁）
２４      均圧弁（第１遮断弁）
２６      流量調節弁
２８      遮断弁
３０      ドレンライン
３２      ドレン弁
３５      コントローラ
【図１】
0005984535.tif 000002
【図２】
0005984535.tif 000003
【図３】
0005984535.tif 000004
【図４】
0005984535.tif 000005
【図５】
0005984535.tif 000006